(57)【要約】【課題】レンズ駆動装置本体に強い衝撃が加えられた場合でも、コイルの線材が断線しにくいレンズ駆動装置を提供する。【解決手段】レンズ保持部材２０と、板バネ３０と、コイル１０と、を備え、レンズ保持部材２０には突出部２１が設けられ、コイル１０は、レンズ保持部材２０の外周に導電性の線材１９が巻かれて形成されたコイル本体部１１と、突出部２１に隣り合う線材１９同士が接するように螺旋状に巻き付けられた巻回部１３と、コイル本体部１１と巻回部１３との間に位置する繋ぎ部１５と、を有し、板バネ３０が半田付け部３０ｃを有し、巻回部１３と半田付け部３０ｃとが半田付けされたレンズ駆動装置１００において、巻回部１３では、突出部２１に線材１９が複数の巻き回数を有して巻かれており、突出部２１に巻かれた少なくとも一巻分の線材１９が、突出部２１の突出方向における隣り合って位置する線材１９との間に隙間１７を有している。【選択図】図６
2017102375.tif 000002
【特許請求の範囲】
【請求項１】
レンズ体を保持可能なレンズ保持部材と、一部が前記レンズ保持部材に固定され、前記レンズ保持部材を光軸方向に移動可能に支持する板バネと、前記レンズ保持部材を光軸方向に沿って移動させる少なくとも磁石及びコイルを有して構成される駆動機構と、を備え、
前記レンズ保持部材には突出部が設けられ、
前記コイルは、前記レンズ保持部材の外周に導電性の線材が巻かれて形成されたコイル本体部と、前記突出部に隣り合う前記線材同士が接するように螺旋状に巻き付けられた巻回部と、前記コイル本体部と前記巻回部との間に位置する繋ぎ部と、を有し、
前記板バネが半田付け部を有し、前記巻回部と前記半田付け部とが半田付けされたレンズ駆動装置において、
前記巻回部では、前記突出部に前記線材が複数の巻き回数を有して巻かれており、前記突出部に巻かれた少なくとも一巻分の前記線材が、前記突出部の突出方向における隣り合って位置する前記線材との間に隙間を有している、
ことを特徴とするレンズ駆動装置。
【請求項２】
前記突出部に巻かれた前記巻回部は、前記突出部の根元部側の線材が前記コイル本体部に繋がっており、前記隙間よりも前記繋ぎ部側に位置する部分の前記線材には、絶縁皮膜が施されている、
ことを特徴とする請求項１に記載のレンズ駆動装置。
【請求項３】
前記隙間を挟んだ前記巻回部の巻き回数は、前記突出部の先端部側の方が、前記突出部の根元部側よりも多く、前記先端部側に位置する線材と前記半田付け部との間に半田付けが施されている、
ことを特徴とする請求項２に記載のレンズ駆動装置。
【請求項４】
前記板バネは、一面が前記レンズ保持部材の光軸方向における一端部と対向して設けられていると共に、前記突出部は、前記レンズ保持部材の前記一端部から前記板バネの他面側へ突出して設けられており、前記半田付け部は、前記板バネの他面側における前記突出部と隣り合う部分に設けられ、前記隙間は、前記半田付け部よりも前記突出部の根元部側に位置している、
ことを特徴とする請求項２又は請求項３に記載のレンズ駆動装置。
【発明の詳細な説明】
【技術分野】
【０００１】
本発明は、レンズ駆動装置に関し、特に、コイルの端部が板バネに半田付けされるレンズ駆動装置に関する。
【背景技術】
【０００２】
携帯電話機やスマートフォン等の携帯型電子機器にはカメラ機能を備えた製品がある。これらの機器で撮影に用いられるレンズは、ＶＣＭ（Ｖｏｉｃｅ  Ｃｏｉｌ  Ｍｏｔｏｒ：ボイスコイルモータ）を用いたレンズ駆動装置によって駆動される。レンズ駆動装置においては、レンズ体を保持可能なレンズ保持部材が備えられていると共に、レンズ保持部材を光軸方向に沿って移動させる駆動機構、及びレンズ保持部材を光軸方向に移動可能に支持する付勢部材が備えられている。当該駆動機構内にはコイルが設けられており、また、付勢部材としては板バネが用いられる。そして、コイルは、その端部が板バネに半田付けされるように構成されている。
【０００３】
このようなコイルの端部が板バネに半田付けされるレンズ駆動装置として、特許文献１に記載のレンズ駆動装置が知られている。以下、図８を用いて、特許文献１に記載のレンズ駆動装置９００について説明する。
【０００４】
レンズ駆動装置９００は、レンズ保持部材９０１と、レンズ保持部材９０１を移動可能に支持する板バネ９０２と、板バネ９０２が固定される支持部材と、レンズ保持部材９０１を光軸方向に沿って移動させる少なくとも磁石及びコイル９０５で構成される移動機構と、を備えている。レンズ保持部材９０１の下部（Ｚ２側）には、板バネ９０２よりも下方（Ｚ２方向）に突出した突出部９０１ａが設けられ、コイル９０５の端部９０５ｂは突出部９０１ａに巻かれており、板バネ９０２には半田付け部９０２ａが設けられ、コイル９０５の端部９０５ｂと半田付け部９０２ａとが半田付けされる。突出部９０１ａに巻かれたコイル９０５の端部９０５ｂと半田付け部９０２ａとの離間距離は、突出部９０１ａの根元部側よりも突出部９０１ａの先端側において大きくなる構成としている。
【０００５】
このような構成によって、レンズ駆動装置９００は、コイル９０５の端部９０５ｂを確実に板バネ９０２と半田付けすることができると共に、板バネ９０２のレンズ保持部材９０１への取り付け時に、両者が当接することを防止できる、という効果を奏する。
【先行技術文献】
【特許文献】
【０００６】
【特許文献１】特開２０１５−０９９３２２号公報
【発明の概要】
【発明が解決しようとする課題】
【０００７】
しかしながら、レンズ駆動装置９００では、レンズ保持部材９０１に設けられた突出部９０１ａにコイル９０５の線材が隙間なく巻かれているため、コイルの端部９０５ｂと板バネ９０２とを半田付けする際、半田が線材を伝って突出部９０１ａの根元部に巻かれた線材や、この線材の延在部にも半田が付き、この部分の線材が硬くなってしまっていた。これによって、レンズ駆動装置９００に落下等により強い衝撃が加えられると、レンズ保持部材９０１が変形するため、上記半田が付いて硬くなった線材、特に、突出部９０１ａの巻き始めの近傍部分が断線し易くなるという問題があった。
【０００８】
本発明はこのような従来技術の実情に鑑みてなされたもので、レンズ駆動装置本体に強い衝撃が加えられた場合でも、コイルの線材が断線しにくいレンズ駆動装置を提供する。
【課題を解決するための手段】
【０００９】
上記課題を解決するために本発明のレンズ駆動装置は、レンズ体を保持可能なレンズ保持部材と、一部が前記レンズ保持部材に固定され、前記レンズ保持部材を光軸方向に移動可能に支持する板バネと、前記レンズ保持部材を光軸方向に沿って移動させる少なくとも磁石及びコイルを有して構成される駆動機構と、を備え、前記レンズ保持部材には突出部が設けられ、前記コイルは、前記レンズ保持部材の外周に導電性の線材が巻かれて形成されたコイル本体部と、前記突出部に隣り合う前記線材同士が接するように螺旋状に巻き付けられた巻回部と、前記コイル本体部と前記巻回部との間に位置する繋ぎ部と、を有し、前記板バネが半田付け部を有し、前記巻回部と前記半田付け部とが半田付けされたレンズ駆動装置において、前記巻回部では、前記突出部に前記線材が複数の巻き回数を有して巻かれており、前記突出部に巻かれた少なくとも一巻分の前記線材が、前記突出部の突出方向における隣り合って位置する前記線材との間に隙間を有している、という特徴を有する。
【００１０】
このように構成されたレンズ駆動装置は、隣り合う線材間に位置する隙間が巻回部に少なくとも一巻分設けられるので、巻回部と板バネの半田付け部との半田付け時において、半田が線材を伝って巻回部における繋ぎ部側や繋ぎ部に付着する事態が抑制される。そのため、これらの部分の線材が半田によって硬くなることがなく、レンズ駆動装置本体に落下等の衝撃が加えられたとしても、当該部分におけるコイルの線材の断線を生じにくくすることができる。
【００１１】
また、上記の構成において、前記突出部に巻かれた前記巻回部は、前記突出部の根元部側の線材が前記コイル本体部に繋がっており、前記隙間よりも前記繋ぎ部側に位置する部分の前記線材には、絶縁皮膜が施されている、という特徴を有する。
【００１２】
このように構成されたレンズ駆動装置は、隙間よりも繋ぎ部側に位置する巻回部の線材が絶縁被膜で覆われているので、突出部の根元部側に位置する巻回部の線材や繋ぎ部の線材に対して半田が付着しにくくなる。
【００１３】
また、上記の構成において、前記隙間を挟んだ前記巻回部の巻き回数は、前記突出部の先端部側の方が、前記突出部の根元部側よりも多く、前記先端部側に位置する線材と前記半田付け部との間に半田付けが施されている、という特徴を有する。
【００１４】
このように構成されたレンズ駆動装置は、巻き回数の多い先端部側の巻回部が半田付けされるので、巻回部と板バネとの半田付けを確実に行なうことができる。
【００１５】
また、上記の構成において、前記板バネは、一面が前記レンズ保持部材の光軸方向における一端部と対向して設けられていると共に、前記突出部は、前記レンズ保持部材の前記一端部から前記板バネの他面側へ突出して設けられており、前記半田付け部は、前記板バネの他面側における前記突出部と隣り合う部分に設けられ、前記隙間は、前記半田付け部よりも前記突出部の根元部側に位置している、という特徴を有する。
【００１６】
このように構成されたレンズ駆動装置は、隙間が板バネの半田付け部よりも突出部の根元部側に位置するので、隙間よりも繋ぎ部側に位置する巻回部の線材に半田がより付着しにくくなる。
【発明の効果】
【００１７】
本発明のレンズ駆動装置は、隣り合う線材間に位置する隙間が巻回部に少なくとも一巻分設けられるので、巻回部と板バネの半田付け部との半田付け時において、半田が線材を伝って巻回部における繋ぎ部側や繋ぎ部に付着する事態が抑制される。そのため、これらの部分の線材が半田によって硬くなることがなく、レンズ駆動装置本体に落下等の衝撃が加えられたとしても、当該部分におけるコイルの線材の断線を生じにくくすることができる。
【図面の簡単な説明】
【００１８】
【図１】本発明の実施形態におけるレンズ駆動装置を構成する各部材を示す分解斜視図である。
【図２】レンズ駆動装置の外観を示す斜視図である。
【図３】ヨーク及びカバーを除いた状態のレンズ駆動装置の外観を示す斜視図である。
【図４】コイルと板バネとが取り付けられたレンズ保持部材の斜視図である。
【図５】コイルの線材が巻回されたレンズ保持部材の拡大斜視図である。
【図６】コイルと板バネとが半田付けされたレンズ保持部材の拡大側面図である。
【図７】コイルと板バネとが半田付けされたレンズ保持部材の拡大斜視図である。
【図８】従来例に係る、コイルが巻回されたレンズ駆動装置を示す側面図である。
【発明を実施するための形態】
【００１９】
［実施形態］
以下、本発明の実施形態について図面を参照しながら説明する。本実施形態に係るレンズ駆動装置１００は、例えば、携帯電話機やスマートフォン等の携帯型電子機器に内蔵されたカメラに使用されるＶＣＭとして用いられるものである。本実施の形態に係るレンズ駆動装置１００の用途については、これらに限定されるものではなく適宜変更が可能である。
【００２０】
最初に、図１乃至図４を参照して、レンズ駆動装置１００の全体構成について説明する。図１は、レンズ駆動装置１００を構成する各部材を示す分解斜視図であり、図２は、レンズ駆動装置１００の外観を示す斜視図である。また、図３は、ヨーク５６及びカバー６０を除いた状態のレンズ駆動装置１００の外観を示す斜視図であり、図４は、コイル１０と板バネ３０とが取り付けられた状態のレンズ保持部材２０の斜視図である。尚、図４は、図２及び図３とは逆に、＋Ｚ方向を図面の下側にして描いている。
【００２１】
図１に示すように、レンズ駆動装置１００は、合成樹脂材からなるベース部材４０と、ベース部材４０の上側に配置されるレンズ保持部材２０と、レンズ保持部材２０を光軸方向Ｌ１（Ｚ方向）へ移動可能に支持する板バネ３０及び上側板バネ３３と、ヨーク５６、複数の磁石５４及びコイル１０を有し、レンズ保持部材２０を光軸方向Ｌ１に沿って移動させる駆動機構５０と、ベース部材４０に設けられた金属板部材４５と、カバー６０と、を備えている。
【００２２】
図２に示すように、レンズ駆動装置１００は、略直方体形状に形成され、中央部にはＺ方向に貫通した大きな開口が形成されている。外部部品であるレンズ体は、レンズ保持部材２０によって保持可能であり、駆動機構５０によって光軸方向Ｌ１（Ｚ方向）に駆動可能となっている。レンズ駆動装置１００では、合成樹脂材からなるカバー６０が、上側板バネ３３を保護するために取り付けられている。
【００２３】
駆動機構５０の一部を構成しているヨーク５６は金属板材からなり、図２に示すように、Ｚ方向を開放した平面視で矩形状に形成されている。ヨーク５６は、中央に開口が形成された天面５６ａを有し、天面５６ａの外周から連続してヨーク５６の側面を形成する環状の外壁部５６ｂと、天面５６ａの開口から連続して外壁部５６ｂの内側に外壁部５６ｂの角部と対向した４つの内壁部（図１参照）と、を有する。
【００２４】
レンズ保持部材２０は合成樹脂材から成り、図３に示すように、略筒状に形成されている。レンズ保持部材２０は、図４に示すように、Ｚ方向に延出して筒状に形成された筒状部２３を有し、筒状部２３の一端部には、筒状部２３の径方向へ延出して形成された鍔部２４が設けられている。また、筒状部２３の内側は、外部部品であるレンズ体を保持可能で円筒状に形成されたレンズ保持部２５となっている。レンズ保持部２５の内周面には、レンズ体を装着可能なネジ溝２７が内周面に沿って形成されている。
【００２５】
コイル１０は、導電性の線材１９から成り、図４に示すように、レンズ保持部材２０の周囲に略八角形の環状に巻かれ、束ねて形成されており、駆動機構５０の一部を構成している。コイル１０に電流を流すことによって、図２に示した駆動機構５０を駆動させ、レンズ体を保持したレンズ保持部材２０を光軸方向Ｌ１へ移動させることができる。尚、コイル１０の構成については後に詳細説明を行う。
【００２６】
磁石５４は、図３に示すように、平面視で略台形の形状をなす柱状に形成されている。本実施形態においては磁石５４を４個用いており、４個の磁石５４は、図２に示したヨーク５６の外壁部５６ｂの角部にそれぞれ取り付けられている。尚、磁石５４は、略台形の短辺側の面と長辺側の面（厳密には円弧面）とに直交する直線の方向に着磁されている。
【００２７】
板バネ３０及び上側板バネ３３は、導電性を有する金属薄板から成ると共に、板バネ３０と上側板バネ３３とは、図３に示すように、レンズ保持部材２０を挟んで、向かい合わせに配置されている。尚、板バネ３０と上側板バネ３３とは絶縁されている。
【００２８】
板バネ３０は、下側の板バネを構成するものであり、図４に示すように、２枚の板バネ部３１によって形成される。板バネ部３１は、平面視で円弧状に形成された内側部分３１ａと、板バネ３０の外周を形成する外側部分３１ｂとが、ミアンダ形状をした２つの細い金属板のバネ部分３１ｃによって接続されて形成される。板バネ３０は、２枚の板バネ部３１が互いに向かい合って配置され、当該２枚の板バネ部３１が一対となり、平面視で中央に開口を有した略正方形形状に形成されている。２枚の板バネ部３１は、それぞれ半田によって前述したコイル１０に接続される。その結果、２枚の板バネ部３１がコイル１０を介して電気的に接続される。
【００２９】
また、上側板バネ３３は、図３に示すように、平面視で略円形状に形成された内側部分３３ａと、上側板バネ３３の外周を形成する略正方形形状の外側部分３３ｂとが、ミアンダ形状をした４つの細い金属板のバネ部分３３ｃによって接続されて、平面視で中央に開口を有した略正方形形状に形成されている。
【００３０】
板バネ３０は、組み合わされて円形状の開口を形成する２つの内側部分３１ａが、図４に示すように、レンズ保持部材２０に複数個所設けられた取付け部２９にそれぞれ取り付けられる。また、組み合わされて略正方形形状の外周を形成する２つの外側部分３１ｂが、図３に示すように、ベース部材４０に複数個所設けられた取付け部４９に取り付けられる。同様に、上側板バネ３３も、開口を形成する内側部分３３ａがレンズ保持部材２０に接着剤で取り付けられ、略正方形形状の外周を形成する外側部分３３ｂがカバー６０の取付け部（図示せず）に取り付けられる。
【００３１】
このような構成によって、板バネ３０の開口を形成する２枚の板バネ部３１の内側部分３１ａが、略正方形形状の外周を形成する２枚の板バネ部３１の外側部分３１ｂに対してＺ方向に移動可能な構造となる。上側板バネ３３についても同様である。言い換えれば、レンズ体を保持したレンズ保持部材２０が、レンズ駆動装置１００を内蔵した携帯型電子機器に固定されたベース部材４０及びカバー６０に対して光軸方向Ｌ１（Ｚ方向）に移動可能な構造となる。その結果、コイル１０に電流を流して駆動機構５０を動作させることにより、レンズ体を保持したレンズ保持部材２０に光軸方向Ｌ１への推力を発生させることができる。
【００３２】
ベース部材４０には、金属板部材４５が埋設されている。金属板部材４５は、図３に示すように、その一部がベース部材４０の底面から露出している。金属板部材４５は複数の部材で構成されており、そのうちの１つの部材が、前述した板バネ３０の１つの板バネ部３１に接続され、他の１つの部材が板バネ３０の他の１つの板バネ部３１に接続されている。２枚の板バネ部３１にそれぞれ接続された金属板部材４５の各部材は、レンズ駆動装置１００が内蔵されている携帯電話機やスマートフォン等の携帯型電子機器本体に接続され、２枚の板バネ部３１間に携帯型電子機器本体からのレンズ駆動用の電圧が印加されて、コイル１０に電流を流すように構成されている。
【００３３】
次に、図４乃至図７を参照して、コイル１０の構成、及びレンズ保持部材２０上におけるコイル１０と板バネ３０との接続について説明する。図５は、コイル１０の線材１９が巻回された状態のレンズ保持部材２０の拡大斜視図であり、図６は、コイル１０と板バネ３０とが半田付けされた状態を模式的に示すレンズ保持部材２０の拡大側面図であり、図７は、コイル１０と板バネ３０とが半田付けされた状態のレンズ保持部材２０の拡大斜視図である。尚、図５乃至図７も、図４と同様に、＋Ｚ方向を図面の下側にして描いている。また、図５における線材１９の一部に施されている絶縁被膜１９ａを、ハッチングを入れて表示している。
【００３４】
レンズ保持部材２０の鍔部２４には、図４に示すように、光軸方向Ｌ１（Ｚ方向）に沿って突出する突出部２１が２箇所に設けられており、２箇所の突出部２１にコイル１０を形成している線材１９がそれぞれ巻かれている。２箇所の突出部２１のうち、図４における＋Ｘ側の突出部２１の位置がコイル１０における巻き始め側であり、−Ｘ側の突出部２１の位置が巻き終わり側である。尚、今後説明する図５乃至図７では、コイル１０における巻き終わり側を表示している。２箇所の突出部２１にコイル１０の線材１９がそれぞれ巻かれることにより、コイル１０の両方の端部をレンズ保持部材２０に保持させることができる。
【００３５】
コイル１０は、図５に示すように、レンズ保持部材２０の外周に線材１９が巻かれて形成されたコイル本体部１１と、突出部２１に線材１９が螺旋状に巻き付けられた巻回部１３と、コイル本体部１１と巻回部１３との間に位置する繋ぎ部１５とを有している。
【００３６】
巻回部１３では、突出部２１に線材１９が複数の巻き回数を有して巻かれており、突出部２１に巻かれた少なくとも一巻分の線材１９が、突出部２１の突出方向において隣り合って位置する線材１９との間に隙間１７を有している。当該隙間１７は、隣り合う線材１９間に少なくともほぼ一巻分の幅を有して設けられる。この隙間１７が形成された部分を除いて、巻回部１３は、隣り合う線材１９同士が接するように、突出部２１に線材１９が螺旋状に巻き付けられている。当該隙間１７は、図４で示したコイル１０における巻き始め側においても設けられる。
【００３７】
尚、本実施形態では、コイル１０の巻き終わり側及び巻き始め側において隙間１７を設けているが、コイル１０の巻き終わり側又は巻き始め側のうちの一方のみ、例えばコイル１０の巻き終わり側においてのみ隙間１７を設けるようにしても良い。
【００３８】
隙間１７を挟んだ巻回部１３の巻き回数は、図５に示すように、突出部２１の先端部２１ａ側の方（巻き回数Ｎ１）が、突出部２１の根元部２１ｂ側（巻き回数Ｎ２）よりも多く設定されている。本実施形態では、突出部２１の先端部２１ａ側の巻き回数Ｎ１は“３”に設定され、根元部２１ｂ側の巻き回数Ｎ２は“１”に設定されている。巻き回数Ｎ１と巻き回数Ｎ２とを足した巻き回数Ｎ０は、コイル１０の端部が突出部２１に確実に固定される巻き回数であれば良い。尚、巻き回数Ｎ１をより多く設定するため、巻き回数Ｎ２は“１”〜“２”に設定されていることが望ましい。
【００３９】
突出部２１に巻かれた巻回部１３は、突出部２１の根元部２１ｂ側の線材１９が繋ぎ部１５を介してコイル本体部１１に繋がっている。即ち、巻回部１３には、突出部２１の根元部２１ｂ側から線材１９が突出部２１に巻き付けられている。図５では、コイル１０における巻き終わり側を示しているため、繋ぎ部１５は、コイル本体部１１の最も外側の部分において繋がっている。逆に、コイル１０における巻き始め側である場合、繋ぎ部１５は、コイル本体部１１の最も内側の部分（レンズ保持部材２０の筒状部に接する部分）において繋がる。
【００４０】
巻回部１３の、上述した隙間１７よりも繋ぎ部１５側に位置する部分の線材１９、及び繋ぎ部１５の線材１９には、図５に示すように、絶縁皮膜１９ａが施されている。従って、この絶縁皮膜１９ａが施されている線材１９には、コイル１０と板バネ３０間で半田付けが施された際に半田が付着することがない。尚、コイル本体部１１を構成している線材１９にも、勿論、絶縁皮膜１９ａが施されている。言い換えると、隙間１７よりも端部側に位置する線材１９の絶縁被膜が剥がされている。
【００４１】
レンズ駆動装置１００において、板バネ３０は、図６に示すように、板バネ３０の一面３０ａが、レンズ保持部材２０の光軸方向Ｌ１における一端部２０ａ（鍔部２４）と平行に対向して、側面視で所定の間隔を有して設けられている。また、前述した突出部２１は、レンズ保持部材２０の一端部２０ａから板バネ３０の他面３０ｂ側へ突出して設けられている。そして、突出部２１の先端部２１ａは、コイル１０の巻回部１３を形成する線材１９の端部よりも−Ｚ方向に突き出ている。
【００４２】
板バネ３０はコイル１０の巻回部１３に半田付け（ＳＤ）されるための半田付け部３０ｃを有している。当該半田付け部３０ｃは、板バネ３０の他面３０ｂ側における突出部２１と隣り合う部分に設けられている。また、コイル１０の巻回部１３に形成された隙間１７は、当該半田付け部３０ｃよりも突出部２１の根元部２１ｂ側に位置している。
【００４３】
突出部２１の先端部２１ａ側に位置するコイル１０の巻回部１３の線材１９と板バネ３０の半田付け部３０ｃとの間で、図７に示すように、半田付け（ＳＤ）が施される。前述したように、コイル１０における隙間１７よりも繋ぎ部１５側に位置する部分の線材１９には絶縁皮膜１９ａが施されているが、半田付け（ＳＤ）が施される巻回部１３の線材１９には絶縁皮膜１９ａが施されていない。そのため、コイル１０の巻回部１３の線材１９と板バネ３０の半田付け部３０ｃとの間の半田付け（ＳＤ）が可能となる。尚、半田付け（ＳＤ）が施される前に、この絶縁皮膜１９ａが施されていない巻回部１３の線材１９に、半田付けされ易いように予備半田が施されていても良い。
【００４４】
以下、本実施形態としたことによる効果について説明する。
【００４５】
レンズ駆動装置１００は、隣り合う線材１９間に位置する隙間１７が巻回部１３に少なくとも一巻分設けられるので、巻回部１３と板バネ３０の半田付け部３０ｃとの半田付け時において、半田が線材１９を伝って巻回部１３における繋ぎ部１５側や繋ぎ部１５に付着する事態が抑制される。そのため、これらの部分の線材１９が半田によって硬くなることがなく、レンズ駆動装置１００本体に落下等の衝撃が加えられたとしても、当該部分におけるコイル１０の線材１９の断線を生じにくくすることができる。
【００４６】
また、隙間１７よりも繋ぎ部１５側に位置する巻回部１３の線材１９が絶縁被膜１９ａで覆われているので、突出部２１の根元部２１ｂ側に位置する巻回部１３の線材１９や繋ぎ部１５の線材１９に対して半田が付着しにくくなる。
【００４７】
また、巻き回数の多い先端部２１ａ側の巻回部１３が半田付けされるので、巻回部１３と板バネ３０との半田付け（ＳＤ）を確実に行なうことができる。
【００４８】
また、隙間１７が板バネ３０の半田付け部３０ｃよりも突出部２１の根元部２１ｂ側に位置するので、隙間１７よりも繋ぎ部１５側に位置する巻回部１３の線材１９に半田がより付着しにくくなる。
【００４９】
以上説明したように、本発明のレンズ駆動装置は、隣り合う線材間に位置する隙間が巻回部に少なくとも一巻分設けられるので、巻回部と板バネの半田付け部との半田付け時において、半田が線材を伝って巻回部における繋ぎ部側や繋ぎ部に付着する事態が抑制される。そのため、これらの部分の線材が半田によって硬くなることがなく、レンズ駆動装置本体に落下等の衝撃が加えられたとしても、当該部分におけるコイルの線材の断線を生じにくくすることができる。
【００５０】
本発明は上記の実施形態に限定されるものではなく、要旨を逸脱しない範囲で種々変更して実施することが可能である。例えば、上記の実施形態においては、レンズ駆動装置１００の−Ｚ側（下側）にある板バネ３０にコイル１０の端部が半田付けされる形態を示したが、それに限定されず、手振れ補正機能を備えたレンズ駆動装置のように、＋Ｚ側（上側）にある上側板バネにコイルの端部が半田付けされるような場合に本発明を適用しても良い。
【符号の説明】
【００５１】
１０        コイル
１１        コイル本体部
１３        巻回部
１５        繋ぎ部
１７        隙間
１９        線材
１９ａ      絶縁被膜
２０        レンズ保持部材
２０ａ      一端部
２１        突出部
２１ａ      先端部
２１ｂ      根元部
２３        筒状部
２４        鍔部
２５        レンズ保持部
２７        ネジ溝
２９        取付け部
３０        板バネ
３０ａ      一面
３０ｂ      他面
３０ｃ      半田付け部
３１        板バネ部
３１ａ      内側部分
３１ｂ      外側部分
３１ｃ      バネ部分
３３        上側板バネ
３３ａ      内側部分
３３ｂ      外側部分
３３ｃ      バネ部分
４０        ベース部材
４５        金属板部材
４９        取付け部
５０        駆動機構
５４        磁石
５６        ヨーク
５６ａ      天面
５６ｂ      外壁部
６０        カバー
１００      レンズ駆動装置
Ｌ１        光軸
Ｎ０        巻き回数
Ｎ１        巻き回数
Ｎ２        巻き回数
ＳＤ        半田付け
【図１】
2017102375.tif 000003
【図２】
2017102375.tif 000004
【図３】
2017102375.tif 000005
【図４】
2017102375.tif 000006
【図５】
2017102375.tif 000007
【図６】
2017102375.tif 000008
【図７】
2017102375.tif 000009
【図８】
2017102375.tif 000010